(57)【要約】【課題】ＨＮＢおよびＨ（ｅ）ＮＢ（３３０）に対するローカル呼ルーティングのための、コア・ネットワークからの援助のない、ローカルＡＡＡサーバ（３５０）ならびにローカルＰＢＸサーバ（３４０）を使用する方法および装置が提供される。【解決手段】ターゲットＷＴＲＵのＩＤを含む呼設定要求を受信するための受信機（３３８）、およびターゲットＷＴＲＵのＩＤをＣＳＧの現在のメンバー（３１０ａ〜３１０ｎ）のリストと比較することによって、呼設定要求をローカルにルーティングすることが可能か否かを判定し、かつその判定が肯定的であるという条件にて、その呼設定要求をローカルＰＢＸサーバ（３４０）に転送するためのプロセッサ、を含むＨ（ｅ）ＮＢ（３３０）が、説明される。【選択図】図３
2015164319.tif 000002
【特許請求の範囲】
【請求項１】
ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）がＨ（ｅ）ＮＢ（Ｈｏｍｅ  ｅｖｏｌｖｅｄ  Ｎｏｄｅ−Ｂ：ホーム発展型ノードＢ）と通信状態にありかつ前記ＷＴＲＵがＣＳＧ（Ｃｌｏｓｅｄ  Ｓｕｂｓｃｒｉｂｅｒ  Ｇｒｏｕｐ：限定加入者グループ）のメンバーであって、
前記Ｈ（ｅ）ＮＢに呼設定要求を送信するように構成される送信機であって、前記呼設定要求が目的ＷＴＲＵのＩＤ（ＩＤｅｎｔｉｔｙ：識別子）および前記ＷＴＲＵの前記ＩＤを含み、前記目的ＷＴＲＵが前記ＣＳＧのメンバーである、送信機と、
ローカルＰＢＸ（Ｐｒｉｖａｔｅ  Ｂｒａｎｃｈ  Ｅｘｃｈａｎｇｅ：構内交換機）サーバから前記Ｈ（ｅ）ＮＢを介してチャンネル割り当てを受信するように構成される受信機と
を備えることを特徴とするＷＴＲＵ。
【請求項２】
目的ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）のＩＤ（ＩＤｅｎｔｉｔｙ：識別子）を含む呼設定要求を受信するように構成される受信機と、
前記目的ＷＴＲＵの前記ＩＤを前記ＣＳＧ（Ｃｌｏｓｅｄ  Ｓｕｂｓｃｒｉｂｅｒ  Ｇｒｏｕｐ：限定加入者グループ）の現在のメンバーのリストと比較することによって、前記呼設定要求をローカルにルーティングすることが可能か否かを判定するように構成されるプロセッサであって、前記判定が肯定的であるという条件にて、前記呼設定要求をローカルＰＢＸ（Ｐｒｉｖａｔｅ  Ｂｒａｎｃｈ  Ｅｘｃｈａｎｇｅ：構内交換機）サーバに転送する、プロセッサと
を備えることを特徴とするＨ（ｅ）ＮＢ（Ｈｏｍｅ  ｅｖｏｌｖｅｄ  Ｎｏｄｅ−Ｂ：ホーム発展型ノードＢ）。
【請求項３】
前記受信機が、前記ローカルＰＢＸサーバからページングおよび警告のメッセージを受信するように構成され、前記メッセージが、前記目的ＷＴＲＵの前記ＩＤおよび前記発信元ＷＴＲＵの前記ＩＤを含むことを特徴とする請求項２に記載のＨ（ｅ）ＮＢ。
【請求項４】
前記プロセッサが、ページングおよび警告のメッセージを前記発信元ＷＴＲＵに転送するように構成され、前記メッセージが、前記目的ＷＴＲＵの前記ＩＤおよび前記発信元ＷＴＲＵの前記ＩＤを含むことを特徴とする請求項３に記載のＨ（ｅ）ＮＢ。
【請求項５】
前記受信機が、前記目的ＷＴＲＵからページング応答を受信するように構成されることを特徴とする請求項４に記載のＨ（ｅ）ＮＢ。
【請求項６】
前記プロセッサが、前記ローカルＰＢＸサーバへページング応答を転送するように構成されることを特徴とする請求項５に記載のＨ（ｅ）ＮＢ。
【請求項７】
前記プロセッサが、前記呼要求接続を確立するように構成されることを特徴とする請求項６に記載のＨ（ｅ）ＮＢ。
【請求項８】
前記呼設定要求をルーティングすることができないということを判定するように、前記プロセッサがさらに構成されるという条件にて、ネットワークが、前記発信元ＷＴＲＵと前記目的ＷＴＲＵの間に接続を確立するように構成されることを特徴とする請求項２に記載のＨ（ｅ）ＮＢ。
【請求項９】
Ｈ（ｅ）ＮＢ（Ｈｏｍｅ  ｅｖｏｌｖｅｄ  Ｎｏｄｅ−Ｂ：ホーム発展型ノードＢ）において実施される方法であって、前記方法は、
目的ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）のＩＤ（ＩＤｅｎｔｉｔｙ：識別子）を含む呼設定要求を受信するステップと、
前記目的ＷＴＲＵの前記ＩＤを前記ＣＳＧ（Ｃｌｏｓｅｄ  Ｓｕｂｓｃｒｉｂｅｒ  Ｇｒｏｕｐ：限定加入者グループ）の現在のメンバーのリストと比較することによって、前記呼設定要求をローカルにルーティングすることが可能か否かを判定するステップと、前記判定が肯定的であるという条件にて、前記呼設定要求をローカルＰＢＸ（Ｐｒｉｖａｔｅ  Ｂｒａｎｃｈ  Ｅｘｃｈａｎｇｅ：構内交換機）サーバに転送するステップと
を備えることを特徴とする方法。
【請求項１０】
前記ローカルＰＢＸサーバからページングおよび警告のメッセージを受信するステップであって、前記メッセージが、前記目的ＷＴＲＵの前記ＩＤおよび前記発信元ＷＴＲＵの前記ＩＤを含む、ステップ
をさらに備えることを特徴とする請求項９に記載の方法。
【請求項１１】
ページングおよび警告のメッセージを発信元ＷＴＲＵに転送するステップであって、前記メッセージが、前記目的ＷＴＲＵの前記ＩＤおよび前記発信元ＷＴＲＵの前記ＩＤを含むこと
をさらに備えることを特徴とする請求項１０に記載の方法。
【請求項１２】
ページング応答が前記目的ＷＴＲＵから受信されることを特徴とする請求項１１に記載の方法。
【請求項１３】
ページング応答が前記ローカルＰＢＸサーバに転送されることを特徴とする請求項１２に記載の方法。
【請求項１４】
呼要求接続が確立されることを特徴とする請求項１３に記載の方法。
【請求項１５】
前記呼設定要求をルーティングできないということを判定するように前記プロセッサがさらに構成されるという条件にて、ネットワークにて前記発信元ＷＴＲＵと前記目的ＷＴＲＵの間の接続を確立することを特徴とする請求項９に記載の方法。
【発明の詳細な説明】
【技術分野】
【０００１】
本出願は、２００９年１１月３日に出願された米国仮特許出願番号第６１／２５７，６９５の利益を主張し、参照によりここに完全に詳述されるごとくに包含されるものである。
【０００２】
本出願は無線通信に関する。
【背景技術】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）ＬＴＥ（Ｌｏｎｇ  Ｔｅｒｍ  Ｅｖｏｌｕｔｉｏｎ：長期発展型）プログラムの狙いは、スペクトル効率の改善、待機時間の減少、より高速のユーザー体験およびより豊富なアプリケーションのための無線リソースのより良い利用、ならびに低コストのサービスを提供するための、ＬＴＥ設定および構成のための新技術、新しい構造、および新しい方法を開発することである。
【０００４】
これらの努力の一部として３ＧＰＰは、ＬＴＥネットワークに対してＨｅＮＢ（Ｈｏｍｅ  ｅｖｏｌｖｅｄ  Ｎｏｄｅ−Ｂ：ホーム発展型ノードＢ）の概念を導入している。３ＧＰＰはまた、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元接続）に対するＨＮＢ（Ｈｏｍｅ  Ｎｏｄｅ−Ｂ：ホームノードＢ）を検討しつつある。ＨＮＢは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：ユニバーサル・テレストリアル無線アクセス・ネットワーク）無線インターフェイス上で３ＧＰＰ  ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）を移動体事業者のネットワークに接続するＩＰ（Ｉｎｔｅｒｎｅｔ  Ｐｒｏｔｏｃｏｌ：インターネット・プロトコル）バックホール（ｂａｃｋｈａｕｌ）を使用するＣＰＥ（Ｃｕｓｔｏｍｅｒ  Ｐｒｅｍｉｓｅ  Ｅｑｕｉｐｍｅｎｔ：宅内機器）である。ＨｅＮＢは、ＥＵＴＲＡＮ（Ｅｖｏｌｖｅｄ−ＵＴＲＡＮ：発展型ＵＴＲＡＮ）無線インターフェイス上で３ＧＰＰ  ＷＴＲＵを移動体事業者のネットワークへ接続するＩＰバックホールを使用するＣＰＥである。
【０００５】
３ＧＰＰ標準の本体はＨＮＢおよびＨ（ｅ）ＮＢを定義している。Ｈ（ｅ）ＮＢは、ＷＬＡＮ（Ｗｉｒｅｌｅｓｓ  Ｌｏｃａｌ  Ａｒｅａ  Ｎｅｔｗｏｒｋ：無線ローカル・エリア・ネットワーク）ＡＰ（Ａｃｃｅｓｓ  Ｐｏｉｎｔ：アクセス・ポイント）と同様であることができる物理デバイスのことを指す。Ｈ（ｅ）ＮＢは、ホームまたは小規模事務所などの小さいサービス領域にわたってのＬＴＥサービスへのアクセスをユーザーに提供する。
【０００６】
Ｈ（ｅ）ＮＢは、ホーム準拠のネットワークへのローカルＩＰアクセスを可能とし、直接接続された（すなわちＨ（ｅ）ＮＢ無線アクセスを使用する）ＩＰ能力のあるＷＴＲＵに対してホームにおける他のＩＰ能力のあるデバイスへのアクセスを提供することができる。ローカルＩＰアクセスに対して発生するトラフィックは、移動体事業者のネットワークまたはコア・ネットワークとの間で送信され受信されるＨ（ｅ）ＮＢメッセージ以外には、事業者のネットワークを通らない場合がある。
【０００７】
図１は、Ｈ（ｅ）ＮＢ１０２などのＷＬＡＮまたは他の手段を介してＩＰ接続性を提供する企業ネットワーク１００の例を示す。企業ネットワークは例えば、Ｈ（ｅ）ＮＢ１０２、プリンター、コンピューター、およびテレビ１０４、ならびにＷＴＲＵ１０１を含む。企業ネットワークは、スキャナー、公開のまたは個人のフォルダー、デジタル・メディア・プレーヤー、および同様なものへのアクセスを含むことができる。
【０００８】
Ｈ（ｅ）ＮＢ１０２および移動体事業者のコア・ネットワーク１０３を介してＩＰトラフィックを送受信するようにＷＴＲＵ１０１を構成することができる。ネットワークを通してのＨ（ｅ）ＮＢ１０２によって生成されるローカルＩＰトラフィック１０５（すなわち非３ＧＰＰシグナリング）は、ＩＰ層または他の層にてデータの送信／受信を伴うことができる。
【０００９】
３ＧＰＰ標準に従って配備されている現在のＷＬＡＮまたはＨ（ｅ）ＮＢは、これらの技術により支援される端末間の呼計画（ｃａｌｌｉｎｇ  ｐｌａｎ）を提供することを含んではいない。Ｈ（ｅ）ＮＢがホーム用のデバイスに制限されることなくかつ他のＷＴＲＵへのアクセスを提供されるなら有益であろう。これは、３ＧＰＰコア・ネットワークを通ることなく、同一のＨ（ｅ）ＮＢ内の別の加入者への呼を可能とすることができる。現在では、Ｈ（ｅ）ＮＢの呼は呼設定を完了するために、コア・ネットワーク（すなわち交換局またはＩＭＳ）までずっと遡ってルーティングされねばならない。ホーム用のデバイスに限定されないＨ（ｅ）ＮＢ、およびコア・ネットワークを通ることなく他のＷＴＲＵへのアクセスを提供するＨ（ｅ）ＮＢに対する必要性は存在する。
【発明の概要】
【００１０】
ＨＮＢおよびＨ（ｅ）ＮＢに対するローカル呼ルーティングのための、コア・ネットワークからの援助のない、ローカルＡＡＡ（Ａｕｔｈｅｎｔｉｃａｔｉｏｎ，Ａｕｔｈｏｒｉｚａｔｉｏｎ，ａｎｄ  Ａｃｃｏｕｎｔｉｎｇ：認証、認可、および会計）サーバならびにローカルＰＢＸ（Ｐｒｉｖａｔｅ  Ｂｒａｎｃｈ  Ｅｘｃｈａｎｇｅ：構内交換機）サーバを使用する方法および装置が提供される。目的ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）のＩＤ（ＩＤｅｎｔｉｔｙ：識別子）を含む呼設定要求を受信するための受信機、および目的ＷＴＲＵのＩＤをＣＳＧ（Ｃｌｏｓｅｄ  Ｓｕｂｓｃｒｉｂｅｒ  Ｇｒｏｕｐ：限定加入者グループ）の現在のメンバーのリストと比較することによって、呼設定要求をローカルにルーティングすることが可能か否かを判定し、かつその判定が肯定的であるという条件にて、その呼設定要求をローカルＰＢＸ（Ｐｒｉｖａｔｅ  Ｂｒａｎｃｈ  Ｅｘｃｈａｎｇｅ：構内交換機）サーバに転送するためのプロセッサ、を含むＨ（ｅ）ＮＢが、説明される。
【図面の簡単な説明】
【００１１】
添付図面に関連して例として与えられる以下の説明から、より詳細な理解を得ることができる。
【００１２】
【図１】ＷＬＡＮまたはＨ（ｅ）ＮＢを介してＩＰ接続性を提供する企業ネットワークの一例を示す図である。
【図２Ａ】１つまたは複数の開示される実施形態を実施することができる通信システムの一例の系統図である。
【図２Ｂ】図２Ａにおいて例証された通信システム中で使用することができるＷＴＲＵ（Ｗｉｒｅｌｅｓｓ  Ｔｒａｎｓｍｉｔ／Ｒｅｃｅｉｖｅ  Ｕｎｉｔ：無線送受信ユニット）の一例の系統図である。
【図２Ｃ】図２Ａにおいて例証された通信システム中で使用することができる無線アクセス・ネットワークの一例およびコア・ネットワークの一例の系統図である。
【図３】一実施形態による、Ｈ（ｅ）ＮＢ中のローカル呼をＣＳＧメンバーにルーティングするためのローカルなネットワーク・アーキテクチャを例証する図である。
【図４】一実施形態による、ローカル呼設定要求処理を例証するフロー図である。
【図５Ａ】Ｈ（ｅ）ＮＢでのローカル呼確立のフロー図である。
【図５Ｂ】Ｈ（ｅ）ＮＢでのローカル呼確立のフロー図である。
【発明を実施するための形態】
【００１３】
今後において参照されると、用語「ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー機器）、移動体端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。今後において参照されると、用語「基地局（Ｂａｓｅ  Ｓｔａｔｉｏｎ）」は、限定的ではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【００１４】
図２Ａは、１つまたは複数の開示される実施形態を実施することができる通信システム２００の一例の図である。通信システム２００は、音声、データ、ビデオ、メッセージング、放送等などの、コンテンツを複数の無線ユーザーに提供する多元アクセス・システムであることができる。通信システム２００は、無線の帯域幅を含むシステム・リソースの共有を通して、複数の無線ユーザーがそのようなコンテンツにアクセスすることを可能にすることができる。例えば通信システム２００は、ＣＤＭＡ（Ｃｏｄｅ  Ｄｉｖｉｓｉｏｎ  Ｍｕｌｔｉｐｌｅ  Ａｃｃｅｓｓ：符号分割多元接続）、ＴＤＭＡ（Ｔｉｍｅ  Ｄｉｖｉｓｉｏｎ  Ｍｕｌｔｉｐｌｅ  Ａｃｃｅｓｓ：時分割多元接続）、ＦＤＭＡ（Ｆｒｅｑｕｅｎｃｙ  Ｄｉｖｉｓｉｏｎ  Ｍｕｌｔｉｐｌｅ  Ａｃｃｅｓｓ：周波数分割多元接続）、ＯＦＤＭＡ（Ｏｒｔｈｏｇｏｎａｌ  ＦＤＭＡ：直交ＦＤＭＡ）、ＳＣ−ＦＤＭＡ（Ｓｉｎｇｌｅ−Ｃａｒｒｉｅｒ  ＦＤＭＡ：単一キャリアＦＤＭＡ）、および同様なものなどの、１つまたは複数のチャンネル接続方法を採用することができる。
【００１５】
図２Ａにおいて示されるように通信システム２００は、ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）１０８ａ、１０８ｂ、１０８ｃ、１０８ｄ、ＲＡＮ（Ｒａｄｉｏ  Ａｃｃｅｓｓ  Ｎｅｔｗｏｒｋ：無線アクセス・ネットワーク）２０４、コア・ネットワーク２０６、ＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話ネットワーク）２０８、インターネット２１０、および他のネットワーク２１２を含むことができ、開示される実施形態は、何れの数のＷＴＲＵ、基地局、ネットワーク、および／またはネットワーク要素をも考慮していることが理解されよう。ＷＴＲＵ１０８ａ、１０８ｂ、１０８ｃ、１０８ｄのそれぞれは、無線環境で動作しそして／または通信するように構成される何れの種別のデバイスであることもできる。例としてＷＴＲＵ１０８ａ、１０８ｂ、１０８ｃ、１０８ｄは、無線信号を送信しそして／または受信するように構成することができ、そしてＵＥ（Ｕｓｅｒ  Ｅｑｕｉｐｍｅｎｔ：ユーザー機器）、移動局、固定型または移動型の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、スマートフォン、ラップトップ、ノート、パーソナル・コンピューター、無線センサー、家電製品、および同様なものを含むことができる。
【００１６】
通信システム２００はまた、基地局２１４ａおよび基地局２１４ｂを含むことができる。基地局２１４ａ、２１４ｂのそれぞれは、ＷＴＲＵ１０８ａ、１０８ｂ、１０８ｃ、１０８ｄの内の少なくとも１つと無線にてインターフェイスし、コア・ネットワーク２０６、インターネット２１０、および／またはネットワーク２１２などの、１つまたは複数の通信ネットワークへのアクセスを容易にするように構成される、何れの種別のデバイスであることもできる。基地局２１４ａ、２１４ｂは例として、ＢＴＳ（Ｂａｓｅ  Ｔｒａｎｓｃｅｉｖｅｒ  Ｓｔａｔｉｏｎ：基本送受信局）、ノードＢ（Ｎｏｄｅ−Ｂ）、ｅノードＢ（ｅＮｏｄｅ−Ｂ）、ホームノードＢ（Ｈｏｍｅ  Ｎｏｄｅ−Ｂ）、Ｈ（ｅ）ＮＢ、サイト制御装置、ＡＰ（Ａｃｃｅｓｓ  Ｐｏｉｎｔ：アクセス・ポイント）、無線ルーター、および同様なものであることができる。基地局２１４ａ、２１４ｂがそれぞれ単一の要素として表現されるが、基地局２１４ａ、２１４ｂは、何れの数の相互接続された基地局および／またはネットワーク要素を含むことができることが理解されよう。
【００１７】
基地局２１４ａはＲＡＮ２０４の一部であることができ、また他の基地局および／またはＢＳＣ（Ｂａｓｅ  Ｓｔａｔｉｏｎ  Ｃｏｎｔｒｏｌｌｅｒ：基地局制御装置）、ＲＮＣ（Ｒａｄｉｏ  Ｎｅｔｗｏｒｋ  Ｃｏｎｔｒｏｌｌｅｒ：無線ネットワーク制御装置）、リレー・ノード等などの、ネットワーク要素（示されない）を含むことができる。セル（示されない）と呼ぶことができる特定の地理的領域の中にて無線信号を送信しそして／または受信するように基地局２１４ａおよび／または基地局２１４ｂを構成することができる。セルをさらにセル・セクターに分割することができる。例えば基地局２１４ａに関連付けられるセルを３つのセクターに分割することができる。従って一実施形態においては、基地局２１４ａは３つの送受信機、すなわちセルの各セクターあたり１つ、を含むことができる。別の実施形態においては、基地局２１４ａがＭＩＭＯ（Ｍｕｌｔｉｐｌｅ−Ｉｎｐｕｔ  Ｍｕｌｔｉｐｌｅ  Ｏｕｔｐｕｔ：多入力多出力）技術を採用することができ、従ってセルの各セクターに対して複数の送受信機を利用することができる。
【００１８】
基地局２１４ａ、２１４ｂは、無線インターフェイス２１６上でＷＴＲＵ１０８ａ、１０８ｂ、１０８ｃ、１０８ｄの内の１つまたは複数と通信することができ、無線インターフェイス２１６は何れの適当な無線通信リンク（例えばＲＦ（Ｒａｄｉｏ  Ｆｒｅｑｕｅｎｃｙ：無線周波数）、マイクロ波、ＩＲ（ＩｎｆｒａＲｅｄ：赤外線）、ＵＶ（ＵｌｔｒａＶｉｏｌｅｔ：紫外線）、可視光等）であることもできる。何れの適当なＲＡＴ（Ｒａｄｉｏ  Ａｃｃｅｓｓ  Ｔｅｃｈｎｏｌｏｇｙ：無線アクセス技術）を使用しても無線インターフェイス２１６を確立することができる。
【００１９】
より詳しく述べると、上で述べたように通信システム２００は多元アクセス・システムであることができ、そしてＣＤＭＡ、ＴＤＭＡ、ＦＤＭＡ、ＯＦＤＭＡ、ＳＣ−ＦＤＭＡ、および同様なものなどの、１つまたは複数のチャンネル・アクセス方式を採用することができる。例えば、ＲＡＮ２０４における基地局２１４ａおよびＷＴＲＵ１０８ａ、１０８ｂ、１０８ｃは、ＷＣＤＭＡ（Ｗｉｄｅｂａｎｄ  ＣＤＭＡ：広帯域ＣＤＭＡ）を使用して無線インターフェイス１１６を確立することができる、ＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：統合無線通信システム）Ｔｅｒｒｅｓｔｒｉａｌ  Ｒａｄｉｏ  Ａｃｃｅｓｓ：ＵＭＴＳテレストリアル無線アクセス）などの無線技術を実施することができる。ＷＣＤＭＡは、ＨＳＰＡ（Ｈｉｇｈ−Ｓｐｅｅｄ  Ｐａｃｋｅｔ  Ａｃｃｅｓｓ：高速パケット・アクセス）、および／またはＨＳＰＡ＋（Ｅｖｏｌｖｅｄ  ＨＳＰＡ：発展型ＨＳＰＡ）などの通信プロトコルを含むことができる。ＨＳＰＡはＨＳＤＰＡ（Ｈｉｇｈ−Ｓｐｅｅｄ  Ｄｏｗｎｌｉｎｋ  Ｐａｃｋｅｔ  Ａｃｃｅｓｓ：下りリンク高速パケット・アクセス）および／またはＨＳＵＰＡ（Ｈｉｇｈ−Ｓｐｅｅｄ  Ｕｐｌｉｎｋ  Ｐａｃｋｅｔ  Ａｃｃｅｓｓ：上りリンク高速パケット・アクセス）を含むことができる。
【００２０】
別の実施形態においては、基地局１１４ａおよびＷＴＲＵ１０８ａ、１０８ｂ、１０８ｃは、ＬＴＥ（Ｌｏｎｇ  Ｔｅｒｍ  Ｅｖｏｌｕｔｉｏｎ：長期発展型）および／またはＬＴＥ−Ａ（ＬＴＥ−Ａｄｖａｎｃｅｄ）を使用して無線インターフェイス２１６を確立することができる、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ：発展型ＵＭＴＳテレストリアル無線アクセス）などの無線技術を実施することができる。
【００２１】
他の実施形態においては、基地局２１４ａおよびＷＴＲＵ１０８ａ、１０８ｂ、１０８ｃは、ＩＥＥＥ８０２．１６（すなわちＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  ＩＸ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）、および同様なものなどの無線技術を実施することができる。
【００２２】
図２Ａにおける基地局２１４ｂは、例えば、無線方式ルーター、ホームノードＢ（Ｈｏｍｅ  Ｎｏｄｅ  Ｂ）、ホームｅノードＢ（Ｈｏｍｅ  ｅＮｏｄｅ  Ｂ）、またはアクセス・ポイントであることができ、そして勤務場所、ホーム、乗り物、キャンパス、同様なものなどの、ローカル化された領域における無線の接続性を容易にするために何れの適当なＲＡＴを利用することもできる。一実施形態においては、基地局２１４ｂおよびＷＴＲＵ１０８ｃ、１０８ｄが、ＩＥＥＥ８０２．１１などの無線技術を実施し、ＷＬＡＮ（Ｗｉｒｅｌｅｓｓ  Ｌｏｃａｌ  Ａｒｅａ  Ｎｅｔｗｏｒｋ：無線ローカル・エリア・ネットワーク）を確立することができる。別の実施形態においては、基地局２１４ｂ、およびＷＴＲＵ１０８ｃ、１０８ｄが、ＩＥＥＥ８０２．１５などの無線技術を実施し、ＷＰＡＮ（Ｗｉｒｅｌｅｓｓ  Ｐｅｒｓｏｎａｌ  Ａｒｅａ  Ｎｅｔｗｏｒｋ：無線個人領域ネットワーク）を確立することができる。さらに別の実施形態においては、基地局２１４ｂ、およびＷＴＲＵ１０８ｃ、１０８ｄが、セルに準拠するＲＡＴ（例えばＷＣＤＭＡ、ＣＤＭＡ２０００、ＧＳＭ、ＬＴＥ、ＬＴＥ−Ａ等）を利用し、ピコセル（ｐｉｃｏｃｅｌｌ）またはフェムトセル（ｆｅｍｔｏｃｅｌｌ）を確立することができる。図２Ａに示されるように、基地局２１４ｂはインターネット２１０への直接接続を有することができる。従って、基地局２１４ｂはコア・ネットワーク２０６を介してインターネット２１０にアクセスすることを必要としないことができる。
【００２３】
ＲＡＮ２０４はコア・ネットワーク２０６と通信状態にあることができ、コア・ネットワーク２０６は、ＷＴＲＵ１０８ａ、１０８ｂ、１０８ｃ、１０８ｄの内の１つまたは複数に対して、音声、データ、アプリケーション、および／またはＶｏＩＰ（Ｖｏｉｃｅ  ｏｖｅｒ  Ｉｎｔｅｒｎｅｔ  Ｐｒｏｔｏｃｏｌ：ボイス・オーバー・インターネット・プロトコル）サービスを提供するように構成される何れの種別のネットワークであることもできる。例えばコア・ネットワーク２０６は、呼制御、課金サービス、移動体位置準拠のサービス、プリペイド（ｐｒｅ−ｐａｉｄ）通話、インターネット接続性、ビデオ配信等を提供し、そして／またはユーザー認証などの高水準のセキュリティ機能を実行することができる。図２Ａには示されないが、ＲＡＮ２０４および／またはコア・ネットワーク２０６が、ＲＡＮ２０４と同一のＲＡＴまたは別のＲＡＴを採用する他のＲＡＮと直接的な、または間接的な通信状態にあることができることが理解されよう。例えば、Ｅ−ＵＴＲＡ無線技術を利用することができるＲＡＮ２０４に接続されていることに加えて、コア・ネットワーク２０６がまた、ＧＳＭ無線技術を採用している別のＲＡＮ（示されない）と通信状態にあることができる。
【００２４】
コア・ネットワーク２０６はまた、ＰＳＴＮ２０８、インターネット２１０、および／または他のネットワーク２１２にアクセスするための、ＷＴＲＵ１０８ａ、１０８ｂ、１０８ｃ、１０８ｄに対するゲートウェイとしての機能を果たすことができる。ＰＳＴＮ２０８は、ＰＯＴＳ（Ｐｌａｉｎ  Ｏｌｄ  Ｔｅｌｅｐｈｏｎｅ  Ｓｅｒｖｉｃｅ：基本電話サービス）を提供する回線交換（ｃｉｒｃｕｉｔ−ｓｗｉｔｃｈｅｄ）電話ネットワークを含むことができる。インターネット２１０は、ＴＣＰ／ＩＰインターネット・プロトコル群におけるＴＣＰ（Ｔｒａｎｓｍｉｓｓｉｏｎ  Ｃｏｎｔｒｏｌ  Ｐｒｏｔｏｃｏｌ：送信制御プロトコル）、ＵＤＰ（Ｕｓｅｒ  Ｄａｔａｇｒａｍ  Ｐｒｏｔｏｃｏｌ：ユーザー・データグラム・プロトコル）、およびＩＰ（Ｉｎｔｅｒｎｅｔ  Ｐｒｏｔｏｃｏｌ：インターネット・プロトコル）などの、共通的通信プロトコルを使用する相互接続されたコンピューター・ネットワークおよびデバイスの大域的なシステムを含むことができる。ネットワーク２１２は、他のサービス・プロバイダーが所有しそして／または運用する有線のまたは無線の通信ネットワークを含むことができる。例えばネットワーク２１２は、ＲＡＮ２０４と同一のＲＡＴまたは別のＲＡＴを採用することができる１つまたは複数のＲＡＮに接続された別のコア・ネットワークを含むことができる。
【００２５】
通信システム２００におけるＷＴＲＵ１０８ａ、１０８ｂ、１０８ｃ、１０８ｄの内のいくつかまたはすべてがマルチ・モード能力含むことができる。すなわち、ＷＴＲＵ１０８ａ、１０８ｂ、１０８ｃ、１０８ｄが、別々の無線リンク上で別々の無線ネットワークと通信するために複数の送受信機を含むことができる。例えば図２Ａにおいて示されるＷＴＲＵ１０８ｃは、セル準拠の無線技術を採用することができる基地局２１４ａおよびＩＥＥＥ８０２無線技術を採用することができる基地局２１４ｂと通信するように構成することができる。
【００２６】
図２Ｂは、ＷＴＲＵ１０８の一例の系統図である。図２Ｂにおいて示されるようにＷＴＲＵ１０８は、プロセッサ２１８、送受信機２２０、送信／受信要素２２２、スピーカー／マイクロホン２２４、キーパッド２２６、表示器／タッチパッド２２８、着脱不可メモリ２３０、着脱可能メモリ２３２、電源２３４、ＧＰＳ（Ｇｌｏｂａｌ  Ｐｏｓｉｔｉｏｎｉｎｇ  Ｓｙｓｔｅｍ：全地球側位システム）チップセット２３６、および他の周辺機器２３８を含むことができる。ＷＴＲＵ１０８は、実施形態と矛盾がない範囲で、前述の要素の何れの部分結合をも含むことができることが理解されよう。
【００２７】
プロセッサ２１８は、汎用目的プロセッサ、専用目的プロセッサ、従来型のプロセッサ、ＤＳＰ（Ｄｉｇｉｔａｌ  Ｓｉｇｎａｌ  Ｐｒｏｃｅｓｓｏｒ：デジタル信号プロセッサ）、複数のマイクロプロセッサ、ＤＳＰコアに関連付けられた１つまたは複数のマイクロプロセッサ、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、状態マシン、および同様なものであることができる。プロセッサ１１８は、信号符号化、データ処理、電源制御、入力／出力処理、および／またはＷＴＲＵ１０８が無線環境において動作することを可能にする他の如何なる機能性をも実行することができる。プロセッサ２１８は、送信／受信要素２２２に結合することができる、送受信機２２０と結合することができる。図２Ｂは、プロセッサ２１８および送受信機２２０を別個の構成要素として表現しているが、プロセッサ２１８および送受信機２２０を電子パッケージまたはチップにおいて一緒に統合することができることが理解されよう。
【００２８】
送信／受信要素２２２は、無線インターフェイス２１６上にて基地局（例えば基地局２１４ａ）へ信号を送信しまたはそこから信号を受信するように構成することができる。例えば一実施形態において送信／受信要素２２２は、ＲＦ信号を送信しそして／または受信するように構成されるアンテナであることができる。別の実施形態において送信／受信要素２２２は、例えばＩＲ、ＵＶ、または可視光信号を送信しそして／または受信するように構成されるエミッタ／検出器であることができる。さらに別の実施形態において送信／受信要素２２２は、ＲＦおよび光信号の両方を送信しそして受信するように構成することができる。送信／受信要素２２２は、無線信号の何れの組み合わせをも送信しそして／または受信するように構成することができることが理解されよう。
【００２９】
さらに加えて、送信／受信要素２２２は図２Ｂにおいては単一の要素として表現されているが、ＷＴＲＵ１０８は、任意の数の送信／受信要素２２２を含むこともできる。より詳しく述べるとＷＴＲＵ１０８はＭＩＭＯ技術を採用することができる。従って一実施形態においてはＷＴＲＵ１０８が、無線インターフェイス２１６上にて無線信号を送信しそして受信するために、２つまたはそれ以上の送信／受信要素２２２（例えばマルチアンテナ）を含むことができる。
【００３０】
送受信機２２０は、送信／受信要素２２２によって送信されるべき信号を変調するように、そして送信／受信要素２２２によって受信される信号を復調するように構成することができる。上で述べたようにＷＴＲＵ１０８はマルチ・モード能力を有することができる。従って送受信機２２０は、例えばＵＴＲＡおよびＩＥＥＥ８０２．１１などの複数のＲＡＴを介してＷＴＲＵ１０８が通信することを可能にするために複数の送受信機を含むことができる。
【００３１】
ＷＴＲＵ１０８のプロセッサ２１８は、スピーカー／マイクロホン２２４、キーパッド２２６、および／または表示器／タッチパッド２２８（例えばＬＣＤ（Ｌｉｑｕｉｄ  Ｃｒｙｓｔａｌ  Ｄｉｓｐｌａｙ：液晶表示）表示ユニット、またはＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニットに結合することができ、そしてそこからユーザー入力データを受信することができる。プロセッサ２１８はまた、スピーカー／マイクロホン２２４、キーパッド２２６、および／または表示器／タッチパッド２２８にユーザー・データを出力することができる。さらに加えてプロセッサ２１８は、着脱不可メモリ２３０および／または着脱可能メモリ２３２などの、何れの種別の適当なメモリとの間でも情報にアクセスし、そしてデータを格納することができる。着脱不可メモリ２３０はＲＡＭ（Ｒａｎｄｏｍ−Ａｃｃｅｓｓ  Ｍｅｍｏｒｙ：ランダム・アクセス・メモリ）、ＲＯＭ（Ｒｅａｄ−Ｏｎｌｙ  Ｍｅｍｏｒｙ：読み出し専用メモリ）、ハード・ディスク、または他の如何なる種別のメモリ記憶装置をも含むことができる。着脱可能メモリ２３２は、ＳＩＭ（Ｓｕｂｓｃｒｉｂｅｒ  Ｉｄｅｎｔｉｔｙ  Ｍｏｄｕｌｅ：加入者識別モジュール）カード、メモリ・スティック、ＳＤ（Ｓｅｃｕｒｅ  Ｄｉｇｉｔａｌ）メモリ・カード、および同様なものを含むことができる。他の実施形態においてプロセッサ２１８は、サーバまたはホーム用コンピューター（示されない）上などの、物理的にはＷＴＲＵ１０８上に位置してはいないメモリとの間で、情報にアクセスしそしてデータを格納することができる。
【００３２】
プロセッサ２１８は、電源２３４から電力を受け取ることができ、そして電力をＷＴＲＵ１０８中の他の構成要素に分配しそして／または制御するように構成することができる。電源２３４は、ＷＴＲＵ１０８に電力を供給するための任意の適当なデバイスであることができる。例えば電源２３４は、１つまたは複数の乾電池バッテリー（例えばＮｉＣｄ（Ｎｉｃｋｅｌ−Ｃａｄｍｉｕｍ：ニッケル・カドミウム）、ＮｉＺｎ（Ｎｉｃｋｅｌ−Ｚｉｎｃ：ニッケル亜鉛）、ＮｉＭＨ（Ｎｉｃｋｅｌ  Ｍｅｔａｌ  Ｈｙｄｒｉｄｅ：ニッケル金属水素化物）、Ｌｉ−ｉｏｎ（Ｌｉｔｈｉｕｍ−ｉｏｎ：リチウム・イオン）等）、太陽電池、燃料電池、および同様なものを含むことができる。
【００３３】
プロセッサ２１８はまたＧＰＳチップセット２３６と結合することができ、ＷＴＲＵ１０８の現在の位置に関する位置情報（例えば経度および緯度）を提供するようにＧＰＳチップセット２３６を構成することができる。ＧＰＳチップセット２３６からの情報にさらに加えて、またはその代わりに、ＷＴＲＵ１０８は基地局（例えば基地局２１４ａ、２１４ｂ）から位置情報を無線インターフェイス２１６上にて受信し、そして／または２つまたはそれ以上の近傍の基地局から受信される信号のタイミングに基づきその位置を判定することができる。ＷＴＲＵ１０８は、実施形態と矛盾がない範囲で、任意の適当な位置同定方法により位置情報を取得することができることが理解されよう。
【００３４】
プロセッサ２１８はさらに他の周辺機器２３８と結合することができ、周辺機器２３８は、付加的な機能、機能性、および／または有線のあるいは無線の接続性を提供する１つまたは複数のソフトウェアおよび／またはハードウェア・モジュールを含むことができる。例えば周辺機器２３８は、加速度計、電子コンパス、衛星送受信機、デジタル・カメラ（写真またはビデオ用の）、ＵＳＢ（Ｕｎｉｖｅｒｓａｌ  Ｓｅｒｉａｌ  Ｂｕｓ）ポート、振動デバイス、テレビ送受信機、ヘッドホン（ｈａｎｄｓ  ｆｒｅｅ  ｈｅａｄｓｅｔ）、ブルーツース（Ｂｌｕｅｔｏｏｔｈ（登録商標））モジュール、ＦＭ（Ｆｒｅｑｕｅｎｃｙ  Ｍｏｄｕｌａｔｅｄ：周波数変調用）無線ユニット、デジタル音楽プレーヤー、メディア・プレーヤー、テレビゲーム・プレーヤー・モジュール、インターネット・ブラウザー、および同様なものを含むことができる。
【００３５】
図２Ｃは、一実施形態によるＲＡＮ２０４およびコア・ネットワーク２０６の系統図である。上で述べたようにＲＡＮ２０４は、ＷＴＲＵ１０８ａ、１０８ｂ、１０８ｃと無線インターフェイス２１６上にて通信するためにＥ−ＵＴＲＡ無線技術を採用することができる。ＲＡＮ２０４はまた、コア・ネットワーク２０６と通信状態にあることができる。
【００３６】
ＲＡＮ２０４は、ｅノードＢ２４０ａ、２４０ｂ、２４０ｃを含むことができ、またＲＡＮ２０４は、実施形態と矛盾がない範囲で、任意の数のｅノードＢを含むことができることが理解されよう。ｅノードＢ２４０ａ、２４０ｂ、２４０ｃはそれぞれ、ＷＴＲＵ１０８ａ、１０８ｂ、１０８ｃと無線インターフェイス２１６上にて通信するために１つまたは複数の送受信機を含むことができる。一実施形態においてｅノードＢ２４０ａ、２４０ｂ、２４０ｃは、ＭＩＭＯ技術を実施することができる。従って、例えばｅノードＢ２４０ａは、ＷＴＲＵ１０８ａとの間で無線信号を送信しそして無線信号を受信するためにマルチ・アンテナを使用することができる。
【００３７】
ｅノードＢ２４０ａ、２４０ｂ、２４０ｃのそれぞれを、特定のセル（示されない）に関連付けることができ、そして無線リソース管理決定、ハンドオーバー決定、上りリンクおよび／または下りリンクにおけるユーザーのスケジューリング、および同様なものを取り扱うように構成することができる。図２Ｃにおいて示されるようにｅノードＢ２４０ａ、２４０ｂ、２４０ｃは、Ｘ２インターフェイス上にて互いに通信することできる。
【００３８】
図２Ｃにおいて示されるコア・ネットワーク２０６は、ＭＭＥ（Ｍｏｂｉｌｉｔｙ  Ｍａｎａｇｅｍｅｎｔ  Ｇａｔｅｗａｙ：移動管理ゲートウェイ）２４２、サービングゲートウェイ２４４、およびＰＤＮ（Ｐａｃｋｅｔ  Ｄａｔａ  Ｎｅｔｗｏｒｋ：パケット・データ・ネットワーク）ゲートウェイ２４６を含むことができる。前述の要素のそれぞれがコア・ネットワーク２０６の一部として表現されているが、これらの要素の内の何れの１つもコア・ネットワーク事業者以外のエンティティにより所有されそして／または運用されることができることが理解されよう。
【００３９】
ＭＭＥ２４２は、ＲＡＮ２０４におけるｅノードＢ２４０ａ、２４０ｂ、２４０ｃのそれぞれにＳ１インターフェイスを介して接続することができ、そして制御ノードとして機能することができる。例えばＭＭＥ２４２は、ＷＴＲＵ１０８ａ、１０８ｂ、１０８ｃのユーザーの認証、ベアラー（ｂｅａｒｅｒ）活性化／非活性化、ＷＴＲＵ１０８ａ、１０８ｂ、１０８ｃの最初のアタッチ（ａｔｔａｃｈ）の間の特定のサービングゲートウェイの選択、および同様なものを担当することができる。ＭＭＥ２４２はまた、ＲＡＮ２０４およびＧＳＭまたはＷＣＤＭＡなどの他の無線技術を採用する他のＲＡＮ（示されない）の間を切り換えるための制御面（ｃｏｎｔｒｏｌ  ｐｌａｎｅ）機能を提供することができる。
【００４０】
ＲＡＮ２０４におけるｅノードＢ２４０ａ、２４０ｂ、２４０ｃのそれぞれに、サービングゲートウェイ２４４をＳ１インターフェイスを介して接続することができる。サービングゲートウェイ２４４は一般に、ＷＴＲＵ１０８ａ、１０８ｂ、１０８ｃとの間で、ユーザー・データ・パケットをルーティングし、そして転送することができる。サービングゲートウェイ２４４はまた、ｅノードＢ間ハンドオーバーの間の、ユーザー面のアンカー操作（ａｎｃｈｏｒｉｎｇ）、ＷＴＲＵ１０８ａ、１０８ｂ、１０８ｃに対して下りリンクのデータが利用可能であるときのページングのトリガー、ＷＴＲＵ１０８ａ、１０８ｂ、１０８ｃのコンテキストの管理および格納、ならびに同様なものなどの、他の機能を実行することができる。
【００４１】
サービングゲートウェイ２４４はまた、ＰＤＮゲートウェイ２４６に接続することができ、ＰＤＮゲートウェイ２４６は、ＷＴＲＵ１０８ａ、１０８ｂ、１０８ｃ、およびＩＰが可能なデバイスの間の通信を容易にするために、インターネット２１０などのパケット交換ネットワークへのアクセスを、ＷＴＲＵ１０８ａ、１０８ｂ、１０８ｃに提供することができる。
【００４２】
コア・ネットワーク２０６は他のネットワークとの通信を容易にすることができる。例えばコア・ネットワーク２０６は、ＷＴＲＵ１０８ａ、１０８ｂ、１０８ｃ、および伝統的な固定電話通信デバイスの間の通信を容易にするために、ＰＳＴＮ２０８などの回線交換ネットワークへのアクセスをＷＴＲＵ１０８ａ、１０８ｂ、１０８ｃに提供することができる。例えばコア・ネットワーク２０６は、コア・ネットワーク２０６およびＰＳＴＮ２０８の間のインターフェイスとして機能するＩＰゲートウェイ（例えばＩＭＳ（ＩＰ  Ｍｕｌｔｉｍｅｄｉａ  Ｓｕｂｓｙｓｔｅｍ：ＩＰマルチメディア・サブシステム）サーバ）を含むことができ、またはそれと通信することができる。さらに加えてコア・ネットワーク２０６は、ＷＴＲＵ１０８ａ、１０８ｂ、１０８ｃに、他のサービス・プロバイダーによって所有されそして／または運用される他の有線または無線のネットワークを含むことができる、ネットワーク２１２へのアクセスを提供することができる。
【００４３】
ここに、Ｈ（ｅ）ＮＢに関連して使用される追加的ＰＢＸ（Ｐｒｉｖａｔｅ  Ｂｒａｎｃｈ  Ｅｘｃｈａｎｇｅ：構内交換機）の機能性が説明される。３ＧＰＰコア・ネットワークを通ることなく同一Ｈ（ｅ）ＮＢ内の別の加入者への呼を確立するために、そのＨ（ｅ）ＮＢにおいてマクロ３ＧＰＰ環境の解決法にて動作するＷＴＲＵをまた、使用することができることが提案されている。
【００４４】
図３は、Ｈ（ｅ）ＮＢ内のローカル呼を他のＣＳＧ（Ｃｌｏｓｅｄ  Ｓｕｂｓｃｒｉｂｅｒ  Ｇｒｏｕｐ：限定加入者グループ）メンバー３００へルーティングするためのネットワーク・アーキテクチャを例証する図を示す。この図は、ＣＳＧ３２０、Ｈ（ｅ）ＮＢ３３０、ローカルＰＢＸサーバ３４０、ローカルＡＡＡ（Ａｕｔｈｅｎｔｉｃａｔｉｏｎ，Ａｕｔｈｏｒｉｚａｔｉｏｎ，ａｎｄ  Ａｃｃｏｕｎｔｉｎｇ：認証、認可、および会計）サーバ３５０、および３ＧＰＰシステム３６０を含む。ＣＳＧメンバー３２０は、ＷＴＲＵ１  ３１０ａ、およびＷＴＲＵ２  ３１０ｂからＷＴＲＵＮ  ３１０ｎのＷＴＲＵのリストを含む。ＣＳＧメンバー３２０は、Ｈ（ｅ）ＮＢ３３０へのアクセスが許可されたＷＴＲＵ３１０ａ〜３１０ｎを含む。Ｈ（ｅ）ＮＢ３３０は、随意的に接続されるメモリ３３４、送信機３３６、および受信機３３８を伴うプロセッサ３３２を含むことができる。プロセッサは、ローカルなまたは３ＧＰＰのバックホールと通信するように構成される。ローカルＰＢＸサーバ３４０は、ＷＴＲＵ１およびＷＲＴＵＮの間の最初の接続および確立のために使用されるように構成することができる。今日のほとんどすべての構内交換機は自動であるため、略語ＰＢＸは通常、ＰＡＢＸ（Ｐｒｉｖａｔｅ  Ａｕｔｏｍａｔｉｃ  Ｂｒａｎｃｈ  Ｅｘｃｈａｎｇｅ：自動式構内交換機）を含意する。
【００４５】
ローカルＡＡＡサーバ３５０は、ユーザー識別検証、加入者プロフィールに基づくサービス・アクセス・オプション、ならびにＨ（ｅ）ＮＢを特に目的とする通話計画を含む課金関連のデータの収集および格納に使用するように構成することができる。Ｈ（ｅ）ＮＢは、無線事業者などの、３ＧＰＰシステム３６０プロバイダーへの接続を維持する。ローカルＡＡＡサーバ３５０およびローカルＰＢＸサーバ３４０は、Ｈ（ｅ）ＮＢ３３０に接続され、ＷＴＲＵはそれらと通信する。Ｈ（ｅ）ＮＢ３３０は３ＧＰＰシステム３６０と接続される。
【００４６】
図４は、ローカル呼設定要求のためのフロー図４００を示す。受信機は、目的ＷＴＲＵ４０５のＩＤを含む呼設定要求を受信する。プロセッサは、目的ＷＴＲＵがＣＳＧ４１５のメンバーであるか否かを判定することにより目的ＷＴＲＵ４１０のＩＤをチェックし呼設定要求をネットワーク内でルーティング可能か否かを判定する。呼設定要求をルーティングできないとプロセッサが判定するという条件の場合には、目的ＷＴＲＵ４１０のＩＤをチェックしそして３ＧＰＰネットワークへ転送するようにプロセッサは構成される。呼をローカルにルーティング可能であるという条件の場合には、目的ＷＴＲＵのＩＤおよび発信元ＷＴＲＵ（すなわちＷＴＲＵ１）のＩＤを含む呼設定要求をローカルＰＢＸサーバ４２０に転送する。
【００４７】
図５Ａおよび図５Ｂは、Ｈ（ｅ）ＮＢ５００におけるローカル呼確立に関するフロー図である。ＷＴＲＵ１  ５０２およびＷＴＲＵＮ  ５０４は、Ｈ（ｅ）ＮＢ５０６の登録済みＣＳＧメンバーである。これらのアタッチ済みＷＴＲＵおよびそれらの状態のリストは、ローカルＡＡＡサーバ５１０中に格納することができる。ＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ：移動体加入者ＩＳＤＮ番号）／ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：国際移動体加入者識別）／ＩＰアドレスおよび任意の短いＩＤの間の対応付けもまた、ローカルＡＡＡサーバ５１０内に含むことができる。ローカルＡＡＡサーバ５１０は、サービス・アクセス・オプションを含む、ＷＲＴＵサービスセットのための加入者プロフィールとして機能すること（５１４）ができる。
【００４８】
Ｈ（ｅ）ＮＢ５０６の通信範囲領域の中にて、ＷＴＲＵ１  ５０２は、ＷＴＲＵＮ  ５０４に呼を発信（５１６）し、通常これは、ＷＴＲＵ１  ５０２からＨ（ｅ）ＮＢ５０６へ送られる呼設定要求メッセージにより開始する（５１８）。呼設定要求メッセージは目的ＷＴＲＵ５０４のＩＤを含み、これにより呼がローカル呼であるか否かを表すこと（５１８）ができる。Ｈ（ｅ）ＮＢ５０６はローカルＡＡＡサーバ５１０にメッセージを送り、承認制御の一部としてローカルＡＡＡサーバ５１０を用いて目的ＷＴＲＵ５０４のＩＤをチェックすることによって呼をローカルにルーティングすることが可能か否かを判定する（５２０）。これは、目的ＷＴＲＵ５０４のＩＤが登録済みであり、かつＣＳＧに属するかをチェックすることによって達成すること（５２０）ができる。
【００４９】
Ｈ（ｅ）ＮＢ５０６は、ＣＳＧにおいて目的ＷＴＲＵ５０４が含まれることを確認する（５２２）と、発信元ＷＴＲＵ５０２および目的ＷＴＲＵ５０４のＩＤを含む呼設定要求メッセージをローカルＰＢＸサーバ５０８に送る（５２４）ように構成される。ローカルＰＢＸサーバ５０８は、目的ＷＴＲＵ５０４および発信元ＷＴＲＵ５０２のＩＤを含むページ・メッセージをＨ（ｅ）ＮＢに送ること（５２８）によって、最初の設定接続段階を開始すること（５２６）ができる。Ｈ（ｅ）ＮＢ５０６は、目的ＷＴＲＵ５０４および発信元ＷＴＲＵ５０２のＩＤを含むページングかつ警告のメッセージをＷＴＲＵＮに送る（５３０）ように構成することができる。ＷＴＲＵＮ  ５０４は、Ｈ（ｅ）ＮＢにページング応答メッセージを送り返す（５３２）ように構成することができ、Ｈ（ｅ）ＮＢはページング応答メッセージをローカルＰＢＸサーバに転送し返す（５３４）ように構成することができる。
【００５０】
図５Ｂに続くと、ローカルＰＢＸサーバ５０８は、ローカルＰＢＸサーバにて目的ＷＴＲＵのページング応答の確認を進めることによって、接続確立段階を開始する（５３６）。５２０における判定が否定的である（すなわち呼をローカルにはルーティングできない）という条件にて、ネットワーク状態目的（例えば、話中オプションまたは位置の更新）のための接続を３ＧＰＰシステム５１２に通知することができる。この場合においては、ローカルＡＡＡサーバにては目的ＷＴＲＵ  ＩＤ５０４は見出されず、そして３ＧＰＰにて接続を確立することができる。
【００５１】
ローカルＰＢＸサーバ５０８は、無線リソースを割り当てるためにメッセージをＨ（ｅ）ＮＢに送ること（５３８）ができる。無線リソースが割り当てられると、チャンネル割り当て段階が確立される（５４０）。チャンネル割り当ては、Ｈ（ｅ）ＮＢおよびＷＴＲＵＮの間でチャンネル・リソース割り当てを送り、そして確認すること（５４０）を含む。チャンネル割り当て段階はさらに、Ｈ（ｅ）ＮＢおよびＷＴＲＵ１の間でチャンネル・リソースの割り当てを送り、そして確認すること（５４２）を含む。
【００５２】
チャンネル割り当て段階を確認すると、Ｈ（ｅ）ＮＢ５０６は、ＲＲＣ（Ｒａｄｉｏ  Ｒｅｓｏｕｒｃｅ  Ｃｏｎｔｒｏｌ：無線リソース制御）応答メッセージをローカルＰＢＸサーバ５０８に送ること（５４４）ができ、そして呼が始まる（５４６）。呼はＣＳ（Ｃｉｒｃｕｉｔ  Ｓｗｉｔｃｈｅｄ：回線交換）であることができまたはＰＳ（Ｐａｃｋｅｔ  Ｓｗｉｔｃｈｅｄ：パケット交換）であることができ、ＷＴＲＵ１、ＷＴＲＵＮ、Ｈ（ｅ）ＮＢ、およびローカルＰＢＸサーバの範囲を包含することができる。
【００５３】
Ｈ（ｅ）ＮＢは、受信機、プロセッサ、メモリ、着脱可能メモリ、送信機、ＧＰＳデバイス、統合型または着脱可能なＵＳＩＭ（Ｕｎｉｖｅｒｓａｌ  Ｓｕｂｓｃｒｉｂｅｒ  Ｉｄｅｎｔｉｆｉｅｒ  Ｍｏｄｕｌｅ：ユニバーサル加入者識別子モジュール）モジュール、およびＴＰＭ（Ｔｒｕｓｔｅｄ  Ｐｌａｔｆｏｒｍ  Ｍｏｄｕｌｅ：信頼済みプラットホーム・モジュール）を含むことができる。ＴＰＭは、安全な記憶装置および実行環境を提供する安全なハードウェア構成要素である。そしてネットワーク・カードはモデム（すなわちベースバンド）プロセッサを含む。あるいはまた、ＵＳＩＭモジュールは、統合型または着脱可能なＵＩＣＣ（Ｕｎｉｖｅｒｓａｌ  Ｉｎｔｅｇｒａｔｅｄ  Ｃｉｒｃｕｉｔ  Ｃａｒｄ：ユニバーサルＩＣカード）として、またはプロセッサ、ＴＰＭ、およびメモリによってセット的に実施される埋め込み型の機能性として実施することができる。あるいはまた、ネットワーク・カードをプロセッサに統合することができる。プロセッサは、１つまたは複数のＨ（ｅ）ＮＢアプリケーションを処理するように構成される。
【００５４】
実施形態
１．ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）がＨ（ｅ）ＮＢ（Ｈｏｍｅ  ｅｖｏｌｖｅｄ  Ｎｏｄｅ−Ｂ：ホーム発展型ノードＢ）と通信状態にありかつ前記ＷＴＲＵがＣＳＧ（Ｃｌｏｓｅｄ  Ｓｕｂｓｃｒｉｂｅｒ  Ｇｒｏｕｐ：限定加入者グループ）のメンバーであって、
前記Ｈ（ｅ）ＮＢに呼設定要求を送信するように構成される送信機であって、前記呼設定要求が目的ＷＴＲＵのＩＤ（ＩＤｅｎｔｉｔｙ：識別子）および前記ＷＴＲＵの前記ＩＤを含み、前記目的ＷＴＲＵが前記ＣＳＧのメンバーである、送信機
を備えることを特徴とするＷＴＲＵ。
２．ローカルＰＢＸ（Ｐｒｉｖａｔｅ  Ｂｒａｎｃｈ  Ｅｘｃｈａｎｇｅ：構内交換機）サーバから前記Ｈ（ｅ）ＮＢを介してチャンネル割り当てを受信するように構成される受信機
をさらに備えることを特徴とする実施形態１に記載のＷＴＲＵ。
３．目的ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）のＩＤ（ＩＤｅｎｔｉｔｙ：識別子）を含む呼設定要求を受信するように構成される受信機
を備えることを特徴とするＨ（ｅ）ＮＢ（Ｈｏｍｅ  ｅｖｏｌｖｅｄ  Ｎｏｄｅ−Ｂ：ホーム発展型ノードＢ）。
４．前記目的ＷＴＲＵの前記ＩＤを前記ＣＳＧ（Ｃｌｏｓｅｄ  Ｓｕｂｓｃｒｉｂｅｒ  Ｇｒｏｕｐ：限定加入者グループ）の現在のメンバーのリストと比較することによって、前記呼設定要求をローカルにルーティングすることが可能か否かを判定し、および前記判定が肯定的であるという条件にて、前記呼設定要求をローカルＰＢＸ（Ｐｒｉｖａｔｅ  Ｂｒａｎｃｈ  Ｅｘｃｈａｎｇｅ：構内交換機）サーバに転送するように構成されるプロセッサ
をさらに備えることを特徴とする実施形態３に記載のＨ（ｅ）ＮＢ。
５．前記受信機が、前記ローカルＰＢＸサーバからページングおよび警告のメッセージを受信するように構成され、前記メッセージが、前記目的ＷＴＲＵの前記ＩＤおよび前記発信元ＷＴＲＵの前記ＩＤを含むことを特徴とする実施形態４に記載のＨ（ｅ）ＮＢ。
６．前記プロセッサが、ページングおよび警告のメッセージを前記発信元ＷＴＲＵに転送するように構成され、前記メッセージが、前記目的ＷＴＲＵの前記ＩＤおよび前記発信元ＷＴＲＵの前記ＩＤを含むことを特徴とする実施形態４〜５の何れか１つに記載のＨ（ｅ）ＮＢ。
７．前記受信機が、前記目的ＷＴＲＵからページング応答を受信するように構成されることを特徴とする実施形態３〜６の何れか１つに記載のＨ（ｅ）ＮＢ。
８．前記プロセッサが、前記ローカルＰＢＸサーバへページング応答を転送するように構成されることを特徴とする実施形態４〜７の何れか１つに記載のＨ（ｅ）ＮＢ。
９．前記プロセッサが、前記呼要求接続を確立するように構成されることを特徴とする実施形態４〜８の何れか１つに記載のＨ（ｅ）ＮＢ。
１０．前記呼設定要求をルーティングすることができないということを判定するように、前記プロセッサがさらに構成されるという条件にて、ネットワークが、前記発信元ＷＴＲＵおよび前記目的ＷＴＲＵの間に接続を確立するように構成されることを特徴とする実施形態４〜９の何れか１つに記載のＨ（ｅ）ＮＢ。
１１．目的ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）のＩＤ（ＩＤｅｎｔｉｔｙ：識別子）を含む呼設定要求を受信するステップ
を備えることを特徴とするＨ（ｅ）ＮＢ（Ｈｏｍｅ  ｅｖｏｌｖｅｄ  Ｎｏｄｅ−Ｂ：ホーム発展型ノードＢ）において実施される方法。
１２．前記目的ＷＴＲＵの前記ＩＤを前記ＣＳＧ（Ｃｌｏｓｅｄ  Ｓｕｂｓｃｒｉｂｅｒ  Ｇｒｏｕｐ：限定加入者グループ）の現在のメンバーのリストと比較することによって、前記呼設定要求をローカルにルーティングすることが可能か否かを判定し、および前記判定が肯定的であるという条件にて、前記呼設定要求をローカルＰＢＸ（Ｐｒｉｖａｔｅ  Ｂｒａｎｃｈ  Ｅｘｃｈａｎｇｅ：構内交換機）サーバに転送するステップ
をさらに備えることを特徴とする実施形態１１に記載の方法。
１３．前記ローカルＰＢＸサーバからページングおよび警告のメッセージを受信するステップであって、前記メッセージが、前記目的ＷＴＲＵの前記ＩＤおよび前記発信元ＷＴＲＵの前記ＩＤを含む、ステップ
をさらに備えることを特徴とする実施形態１１に記載の方法。
１４．ページングおよび警告のメッセージを発信元ＷＴＲＵに転送するステップであって、前記メッセージが、前記目的ＷＴＲＵの前記ＩＤおよび前記発信元ＷＴＲＵの前記ＩＤを含む、ステップ
をさらに備えることを特徴とする実施形態１２〜１３の何れか１つに記載の方法。
１５．ページング応答が前記目的ＷＴＲＵから受信されることを特徴とする実施形態１１〜１４の何れか１つに記載の方法。
１６．ページング応答が前記ローカルＰＢＸサーバに転送されることを特徴とする実施形態１２〜１５の何れか１つに記載の方法。
１７．呼要求接続が確立されることを特徴とする実施形態１２〜１６の何れか１つに記載の方法。
１８．前記呼設定要求をルーティングできないということを判定するように前記プロセッサがさらに構成されるという条件にて、ネットワークにて前記発信元ＷＴＲＵおよび前記目的ＷＴＲＵの間の接続を確立することを特徴とする実施形態１２〜１７の何れか１つに記載の方法。
【００５５】
特徴および要素が上で特定の組み合わせにて記述されているが、それぞれの特徴または要素は、他の特徴および要素なしで単独にて、または他の特徴および要素のあるなしに拘わらず様々な組み合わせにて使用することができる。本明細書において提供される方法またはフロー図は、汎用目的のコンピューターまたはプロセッサによる実行のための、コンピューターにて読み取り可能な記憶装置媒体に組み込まれるコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスタ、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００５６】
適当なプロセッサの例としては、汎用目的プロセッサ、専用目的プロセッサ、従来型のプロセッサ、ＤＳＰ（Ｄｉｇｉｔａｌ  Ｓｉｇｎａｌ  Ｐｒｏｃｅｓｓｏｒ：デジタル信号プロセッサ）、複数のマイクロプロセッサ、ＤＳＰコアに関連付けられた１つまたは複数のマイクロプロセッサ、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００５７】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー機器）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられたプロセッサを使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調用）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｒｅａ  Ｎｅｔｗｏｒｋ：無線ローカル・エリア・ネットワーク）モジュールもしくはＵＷＢ（Ｕｌｔｒａ  Ｗｉｄｅ  Ｂａｎｄ：超広帯域）モジュールなどのモジュールと連動して使用することができる。
【図１】
2015164319.tif 000003
【図２Ａ】
2015164319.tif 000004
【図２Ｂ】
2015164319.tif 000005
【図２Ｃ】
2015164319.tif 000006
【図３】
2015164319.tif 000007
【図４】
2015164319.tif 000008
【図５Ａ】
2015164319.tif 000009
【図５Ｂ】
2015164319.tif 000010
【手続補正書】
【提出日】平成27年5月7日(2015.5.7)
【手続補正１】
【補正対象書類名】明細書
【補正対象項目名】０００４
【補正方法】変更
【補正の内容】
【０００４】
これらの努力の一部として３ＧＰＰは、ＬＴＥネットワークに対してＨ（ｅ）ＮＢ（Ｈｏｍｅ  ｅｖｏｌｖｅｄ  Ｎｏｄｅ−Ｂ：ホーム発展型ノードＢ）の概念を導入している。３ＧＰＰはまた、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元接続）に対するＨＮＢ（Ｈｏｍｅ  Ｎｏｄｅ−Ｂ：ホームノードＢ）を検討しつつある。ＨＮＢは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：ユニバーサル・テレストリアル無線アクセス・ネットワーク）無線インターフェイス上で３ＧＰＰ  ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）を移動体事業者のネットワークに接続するＩＰ（Ｉｎｔｅｒｎｅｔ  Ｐｒｏｔｏｃｏｌ：インターネット・プロトコル）バックホール（ｂａｃｋｈａｕｌ）を使用するＣＰＥ（Ｃｕｓｔｏｍｅｒ  Ｐｒｅｍｉｓｅ  Ｅｑｕｉｐｍｅｎｔ：宅内機器）である。Ｈ（ｅ）ＮＢは、ＥＵＴＲＡＮ（Ｅｖｏｌｖｅｄ−ＵＴＲＡＮ：発展型ＵＴＲＡＮ）無線インターフェイス上で３ＧＰＰ  ＷＴＲＵを移動体事業者のネットワークへ接続するＩＰバックホールを使用するＣＰＥである。
【手続補正２】
【補正対象書類名】明細書
【補正対象項目名】００４４
【補正方法】変更
【補正の内容】
【００４４】
図３は、Ｈ（ｅ）ＮＢ内のローカル呼を他のＣＳＧ（Ｃｌｏｓｅｄ  Ｓｕｂｓｃｒｉｂｅｒ  Ｇｒｏｕｐ：限定加入者グループ）メンバー３００へルーティングするためのネットワーク・アーキテクチャを例証する図を示す。この図は、ＣＳＧ３２０、Ｈ（ｅ）ＮＢ３３０、ローカルＰＢＸサーバ３４０、ローカルＡＡＡ（Ａｕｔｈｅｎｔｉｃａｔｉｏｎ，Ａｕｔｈｏｒｉｚａｔｉｏｎ，ａｎｄ  Ａｃｃｏｕｎｔｉｎｇ：認証、認可、および会計）サーバ３５０、および３ＧＰＰシステム３６０を含む。ＣＳＧメンバー３２０は、ＷＴＲＵ１  ３１０ａ、およびＷＴＲＵ２  ３１０ｂからＷＴＲＵ Ｎ  ３１０ｎのＷＴＲＵのリストを含む。ＣＳＧメンバー３２０は、Ｈ（ｅ）ＮＢ３３０へのアクセスが許可されたＷＴＲＵ３１０ａ〜３１０ｎを含む。Ｈ（ｅ）ＮＢ３３０は、随意的に接続されるメモリ３３４、送信機３３６、および受信機３３８を伴うプロセッサ３３２を含むことができる。プロセッサは、ローカルなまたは３ＧＰＰのバックホールと通信するように構成される。ローカルＰＢＸサーバ３４０は、ＷＴＲＵ１およびＷＴＲＵ  Ｎの間の最初の接続および確立のために使用されるように構成することができる。今日のほとんどすべての構内交換機は自動であるため、略語ＰＢＸは通常、ＰＡＢＸ（Ｐｒｉｖａｔｅ  Ａｕｔｏｍａｔｉｃ  Ｂｒａｎｃｈ  Ｅｘｃｈａｎｇｅ：自動式構内交換機）を含意する。
【手続補正３】
【補正対象書類名】明細書
【補正対象項目名】００４７
【補正方法】変更
【補正の内容】
【００４７】
図５Ａおよび図５Ｂは、Ｈ（ｅ）ＮＢ５００におけるローカル呼確立に関するフロー図を示す。ＷＴＲＵ１  ５０２およびＷＴＲＵ Ｎ  ５０４は、Ｈ（ｅ）ＮＢ５０６の登録済みＣＳＧメンバーである。これらのアタッチ済みＷＴＲＵおよびそれらの状態のリストは、ローカルＡＡＡサーバ５１０中に格納することができる。ＭＳＩＳＤＮ（Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ  Ｎｕｍｂｅｒ：移動体加入者ＩＳＤＮ番号）／ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：国際移動体加入者識別）／ＩＰアドレスおよび任意の短いＩＤの間の対応付けもまた、ローカルＡＡＡサーバ５１０内に含むことができる。ローカルＡＡＡサーバ５１０は、サービス・アクセス・オプションを含む、ＷＴＲＵサービスセットのための加入者プロフィールとして機能すること（５１４）ができる。
【手続補正４】
【補正対象書類名】明細書
【補正対象項目名】００４８
【補正方法】変更
【補正の内容】
【００４８】
Ｈ（ｅ）ＮＢ５０６の通信範囲領域の中にて、ＷＴＲＵ１  ５０２は、ＷＴＲＵ Ｎ  ５０４に呼を発信（５１６）し、通常これは、ＷＴＲＵ１  ５０２からＨ（ｅ）ＮＢ５０６へ送られる呼設定要求メッセージにより開始する（５１８）。呼設定要求メッセージは目的ＷＴＲＵ５０４のＩＤを含み、これにより呼がローカル呼であるか否かを表すこと（５１８）ができる。Ｈ（ｅ）ＮＢ５０６はローカルＡＡＡサーバ５１０にメッセージを送り、承認制御の一部としてローカルＡＡＡサーバ５１０を用いて目的ＷＴＲＵ５０４のＩＤをチェックすることによって呼をローカルにルーティングすることが可能か否かを判定する（５２０）。これは、目的ＷＴＲＵ５０４のＩＤが登録済みであり、かつＣＳＧに属するかをチェックすることによって達成すること（５２０）ができる。
【手続補正５】
【補正対象書類名】明細書
【補正対象項目名】００４９
【補正方法】変更
【補正の内容】
【００４９】
Ｈ（ｅ）ＮＢ５０６は、ＣＳＧにおいて目的ＷＴＲＵ５０４が含まれることを確認する（５２２）と、発信元ＷＴＲＵ５０２および目的ＷＴＲＵ５０４のＩＤを含む呼設定要求メッセージをローカルＰＢＸサーバ５０８に送る（５２４）ように構成される。ローカルＰＢＸサーバ５０８は、目的ＷＴＲＵ５０４および発信元ＷＴＲＵ５０２のＩＤを含むページ・メッセージをＨ（ｅ）ＮＢに送ること（５２８）によって、最初の設定接続段階を開始すること（５２６）ができる。Ｈ（ｅ）ＮＢ５０６は、目的ＷＴＲＵ５０４および発信元ＷＴＲＵ５０２のＩＤを含むページングかつ警告のメッセージをＷＴＲＵ Ｎ  ５０４に送るように構成することができる。ＷＴＲＵ Ｎ  ５０４は、Ｈ（ｅ）ＮＢにページング応答メッセージを送り返す（５３２）ように構成することができ、Ｈ（ｅ）ＮＢはページング応答メッセージをローカルＰＢＸサーバに転送し返す（５３４）ように構成することができる。
【手続補正６】
【補正対象書類名】明細書
【補正対象項目名】００５０
【補正方法】変更
【補正の内容】
【００５０】
図５Ｂに続くと、ローカルＰＢＸサーバ５０８は、ローカルＰＢＸサーバにて目的ＷＴＲＵのページング応答の確認を進めることによって、接続確立段階を開始する（５３６）。５２０における判定が否定的である（すなわち呼をローカルにはルーティングできない）という条件にて、ネットワーク状態目的（例えば、話中オプションまたは位置の更新）のための接続を３ＧＰＰシステム５１２に通知することができる。その場合、ローカルＡＡＡサーバにては目的ＷＴＲＵ  ＩＤ５０４は見出されず、そして３ＧＰＰにて接続が確立されうる。
【手続補正７】
【補正対象書類名】明細書
【補正対象項目名】００５１
【補正方法】変更
【補正の内容】
【００５１】
ローカルＰＢＸサーバ５０８は、無線リソースを割り当てるためにメッセージをＨ（ｅ）ＮＢに送ること（５３８）ができる。無線リソースが割り当てられると、チャンネル割り当て段階が確立される（５４０）。チャンネル割り当ては、Ｈ（ｅ）ＮＢおよびＷＴＲＵ Ｎの間でチャンネル・リソース割り当てを送り、そして確認すること（５４０）を含む。チャンネル割り当て段階はさらに、Ｈ（ｅ）ＮＢおよびＷＴＲＵ１の間でチャンネル・リソースの割り当てを送り、そして確認すること（５４２）を含む。
【手続補正８】
【補正対象書類名】明細書
【補正対象項目名】００５２
【補正方法】変更
【補正の内容】
【００５２】
チャンネル割り当て段階を確認すると、Ｈ（ｅ）ＮＢ５０６は、ＲＲＣ（Ｒａｄｉｏ  Ｒｅｓｏｕｒｃｅ  Ｃｏｎｔｒｏｌ：無線リソース制御）応答メッセージをローカルＰＢＸサーバ５０８に送ること（５４４）ができ、そして呼が始まる（５４６）。呼はＣＳ（Ｃｉｒｃｕｉｔ  Ｓｗｉｔｃｈｅｄ：回線交換）であることができまたはＰＳ（Ｐａｃｋｅｔ  Ｓｗｉｔｃｈｅｄ：パケット交換）であることができ、ＷＴＲＵ１、ＷＴＲＵ Ｎ、Ｈ（ｅ）ＮＢ、およびローカルＰＢＸサーバの範囲を包含することができる。
【手続補正９】
【補正対象書類名】特許請求の範囲
【補正対象項目名】全文
【補正方法】変更
【補正の内容】
【特許請求の範囲】
【請求項１】
Ｈｏｍｅ  ｅｖｏｌｖｅｄ  Ｎｏｄｅ−Ｂ（（Ｈ（ｅ）ＮＢ）を含む加入者宅内配置システムと通信するように構成された無線送受信ユニット（ＷＴＲＵ）であって、前記ＷＴＲＵは、設定された企業ユーザであり、前記ＷＴＲＵは、
前記Ｈ（ｅ）ＮＢに呼設定要求を送信するように構成された送信機であって、前記呼設定要求がターゲットＷＴＲＵの識別子（ＩＤ）および前記ＷＴＲＵのＩＤを含み、前記ターゲットＷＴＲＵが設定された企業ユーザである、送信機と、
前記Ｈ（ｅ）ＮＢを介して構内交換機（ＰＢＸ）サーバから接続を受信するように構成された受信機と、
を備えるＷＴＲＵ。
【請求項２】
Ｈｏｍｅ  ｅｖｏｌｖｅｄ  Ｎｏｄｅ−Ｂ（Ｈ（ｅ）ＮＢ）を含む加入者宅内配置システムであって、
ターゲット無線送受信ユニット（ＷＴＲＵ）の識別子（ＩＤ）を含む呼設定要求を受信するように構成された受信機と、
前記ターゲットＷＴＲＵが設定された企業ユーザであるかを判断するために、前記ターゲットＷＴＲＵの前記ＩＤを、現在の設定された企業ユーザのＩＤのリストと比較することによって、前記呼設定要求が前記加入者宅内配置システム内でルーティングされうるかを判定し、前記判定が肯定的であるという条件において、前記呼設定要求を構内交換機（ＰＢＸ）サーバに転送するように構成されたプロセッサと、
を備える、加入者宅内配置システム。
【請求項３】
前記受信機が、前記ＰＢＸサーバからページングおよび警告のメッセージを受信するように構成され、前記メッセージが、前記ターゲットＷＴＲＵの前記ＩＤおよびソースＷＴＲＵのＩＤを含む、請求項２に記載のシステム。
【請求項４】
前記プロセッサが、ページングおよび警告のメッセージを前記ターゲットＷＴＲＵに転送するように構成され、前記メッセージは、前記ターゲットＷＴＲＵの前記ＩＤおよび前記ソースＷＴＲＵの前記ＩＤを含む、請求項３に記載のシステム。
【請求項５】
前記受信機が、前記ターゲットＷＴＲＵからページング応答を受信するように構成された、請求項４に記載のシステム。
【請求項６】
前記プロセッサが、前記ＰＢＸサーバへページング応答を転送するように構成された、請求項５に記載のシステム。
【請求項７】
前記プロセッサが、前記呼要求接続を確立するように構成された、請求項６に記載のシステム。
【請求項８】
前記プロセッサが、前記呼設定要求はローカルにルーティングされることができないと判定するという条件において、前記プロセッサは、ネットワークを介して前記ソースＷＴＲＵと前記ターゲットＷＴＲＵとの間に接続を確立するようにさらに構成された、請求項２に記載のシステム。
【請求項９】
Ｈｏｍｅ  ｅｖｏｌｖｅｄ  Ｎｏｄｅ−Ｂ（Ｈ（ｅ）ＮＢ）を含む加入者宅内配置システムにおいて実行される方法であって、
ターゲット無線送受信ユニット（ＷＴＲＵ）の識別子（ＩＤ）を含む呼設定要求を受信するステップと、
前記ターゲットＷＴＲＵが前記加入者宅内配置システムのメンバーであるかを判断するために、前記ターゲットＷＴＲＵの前記ＩＤを、設定された企業ユーザのＩＤのリストと比較することによって、前記呼設定要求がローカルにルーティングされうるかを判定し、前記判定が肯定的であるという条件において、前記呼設定要求を構内交換機（ＰＢＸ）サーバに転送するステップと、
を含む、方法。
【請求項１０】
前記ＰＢＸサーバからページングおよび警告のメッセージを受信するステップであって、前記メッセージが、前記ターゲットＷＴＲＵの前記ＩＤおよびソースＷＴＲＵのＩＤを含む、ステップをさらに含む、請求項９に記載の方法。
【請求項１１】
ページングおよび警告のメッセージを前記ターゲットＷＴＲＵに転送するステップであって、前記メッセージは、前記ターゲットＷＴＲＵの前記ＩＤおよび前記ソースＷＴＲＵの前記ＩＤを含む、ステップをさらに含む、請求項１０に記載の方法。
【請求項１２】
ページング応答は、前記ターゲットＷＴＲＵから受信される、請求項１１に記載の方法。
【請求項１３】
ページング応答は、前記ＰＢＸサーバに転送される、請求項１２に記載の方法。
【請求項１４】
呼要求接続は確立される、請求項１３に記載の方法。
【請求項１５】
前記呼設定要求が、ローカルにルーティングされることができないという条件において、ネットワークを介して前記ソースＷＴＲＵと前記ターゲットＷＴＲＵとの間に接続を確立する、請求項９に記載の方法。
【外国語明細書】
2015164319000001.pdf